(57)【特許請求の範囲】
【請求項１】
前面に開口部を有する第１貯蔵室と、第１貯蔵室を開閉する第１扉と、第１扉の開閉を検知する開閉検知部と、冷気を生成して第１貯蔵室内に流通させる通常運転モードと冷気の生成を停止して動作の実演を行うデモモードとのいずれかの設定情報を記憶する記憶部とを備え、前記記憶部の設定に基づいて前記通常運転モード及び前記デモモードを択一的に実行する冷蔵庫において、
前記デモモード時に第１扉の開状態及び閉状態の一方の第１開閉状態を前記開閉検知部により検知した際に報知する報知部を設け、着脱可能な所定の誤認部材の設置によって、第１扉の第１開閉状態の時に前記開閉検知部を第１扉の開状態及び閉状態の他方の第２開閉状態と誤認させることができることを特徴とする冷蔵庫。
【請求項２】
電源投入時に前記デモモードに設定されていた際に、第１扉の開閉に拘わらず、前記報知部による報知を電源投入から所定時間行うことを特徴とする請求項１に記載の冷蔵庫。
【請求項３】
電源投入時に前記デモモードに設定されていた際に、電源投入から所定の解除時間内に前記開閉検知部によって第１開閉状態を検知すると、前記通常運転モードに設定して前記通常運転モードを実行することを特徴とする請求項１または請求項２に記載の冷蔵庫。
【請求項４】
前記報知部による報知の間に第１扉の開閉動作以外の所定の操作が行われた際に、前記通常運転モードに設定することを特徴とする請求項１〜請求項３のいずれかに記載の冷蔵庫。
【請求項５】
前面に開口部を有する第２貯蔵室と、第２貯蔵室を開閉する第２扉と、第２扉を開いた際に第２貯蔵室を照明する照明装置とを備え、第１貯蔵室が照明装置を具備しないことをと特徴とする請求項１〜請求項４のいずれかに記載の冷蔵庫。
【発明の詳細な説明】
【技術分野】
【０００１】
本発明は貯蔵物を冷蔵する冷蔵庫に関し、特にデモモードを有する冷蔵庫に関する。
【背景技術】
【０００２】
一般に店頭での実演を目的として冷気を生成しないデモモードが設定された冷蔵庫が特許文献１に開示されている。特許文献１の冷蔵庫はデモモードの設定内容を記憶するメモリを備える。これにより、一度デモモードを設定すると意識的に解除しない限り、次回電源投入時に再設定しなくてもデモモードを起動させることができる。なお、デモモードの設定操作及び解除操作は冷蔵室扉の前面あるいは冷蔵室／冷凍室内に設けられた操作パネルにより行われる。
【先行技術文献】
【特許文献】
【０００３】
【特許文献１】特開２００４−３３３０７９号公報
【発明の概要】
【発明が解決しようとする課題】
【０００４】
しかしながら、上記従来の冷蔵庫によると、デモモードに設定した展示品の冷蔵庫が購入された際に、販売店や設置者がデモモードの解除操作の実行を忘れる場合がある。また、電源投入された冷蔵庫がデモモードで起動されたことに使用者が気付かないと、冷蔵庫内に冷気が流通していないため貯蔵物を傷める。従って、冷蔵庫の利便性が悪い問題があった。
【０００５】
そこで、本発明は利便性を向上できる冷蔵庫を提供することを目的とする。
【課題を解決するための手段】
【０００６】
上記目的を達成するために本発明の冷蔵庫は、前面に開口部を有する第１貯蔵室と、第１貯蔵室を開閉する第１扉と、第１扉の開閉を検知する開閉検知部と、冷気を生成して第１貯蔵室内に流通させる通常運転モードと冷気の生成を停止して動作の実演を行うデモモードとのいずれかの設定情報を記憶する記憶部とを備え、前記記憶部の設定に基づいて前記通常運転モード及び前記デモモードを択一的に実行する冷蔵庫において、前記デモモード時に第１扉の開状態及び閉状態の一方の第１開閉状態を前記開閉検知部により検知した際に報知する報知部を設け、着脱可能な所定の誤認部材の設置によって、第１扉の第１開閉状態の時に前記開閉検知部を第１扉の開状態及び閉状態の他方の第２開閉状態と誤認させることができることを特徴としている。
【０００７】
この構成によると、デモモードに設定された冷蔵庫の第１扉が例えば開状態になると、開閉検知部で検知して報知部により報知される。所定の誤認部材を設置して展示された冷蔵庫がデモモードに設定されると、第１扉が開いた際に誤認部材によって開閉検知部が閉状態と誤認して報知部による報知が行われない。展示品の冷蔵庫が購入されると誤認部材が除去され、購入者宅に設置される。この時、販売店及び設置者がデモモードの設定解除を忘れると第１扉を開いた際に報知部により報知され、デモモードの設定解除が促される。
【０００８】
また、本発明の冷蔵庫は、上記構成において、前記開閉検知部が第１貯蔵室及び第１扉の一方に設けられた磁石と他方に設けられた磁気センサとを有し、磁石を有した前記誤認部材を設置した際に、前記開閉検知部が第１扉の開状態を閉状態と誤認することを特徴としている。
【０００９】
また、本発明の冷蔵庫は、上記構成において、前記開閉検知部が第１貯蔵室及び第１扉の一方に設けられた磁石と他方に設けられた磁気センサとを有し、磁気シールド材を有した前記誤認部材を設置した際に、前記開閉検知部が第１扉の閉状態を開状態と誤認することを特徴としている。
【００１０】
また、本発明の冷蔵庫は、上記構成において、前記開閉検知部が第１貯蔵室及び第１扉の一方に設けられた押しボタンスイッチから成り、前記押しボタンスイッチを押下した状態で前記誤認部材を設置した際に、前記開閉検知部が第１扉の開状態を閉状態と誤認することを特徴としている。
【００１１】
また、本発明の冷蔵庫は、上記構成において、電源投入時に前記デモモードに設定されていた際に、第１扉の開閉に拘わらず、前記報知部による報知を電源投入から所定時間行うことを特徴としている。
【００１２】
また、本発明の冷蔵庫は、上記構成において、電源投入時に前記デモモードに設定されていた際に、電源投入から所定の解除時間内に前記開閉検知部によって第１開閉状態を検知すると、前記通常運転モードに設定して前記通常運転モードを実行することを特徴としている。
【００１３】
また、本発明の冷蔵庫は、上記構成において、前記報知部による報知の間に第１扉の開閉動作以外の所定の操作が行われた際に、前記通常運転モードに設定することを特徴としている。
【００１４】
また、本発明の冷蔵庫は、上記構成において、前面に開口部を有する第２貯蔵室と、第２貯蔵室を開閉する第２扉と、第２扉を開いた際に第２貯蔵室を照明する照明装置とを備え、第１貯蔵室が照明装置を具備しないことを特徴としている。
【発明の効果】
【００１５】
本発明によると、デモモード時に第１開閉状態を検知した際に報知する報知部を備え、所定の誤認部材の設置によって第１開閉状態を第２開閉状態と誤認させることができる。このため、店頭に展示する冷蔵庫に誤認部材を設置し、誤認部材により報知部の報知を防止してデモモードを実行させることができる。また、展示品の冷蔵庫が購入されると誤認部材が除去され、デモモードの設定解除を忘れた場合に第１扉を開くと報知部によってデモモードの設定解除が促される。これにより、デモモード下での貯蔵物の貯蔵を防止することができ、冷蔵庫の利便性を向上することができる。
【図面の簡単な説明】
【００１６】
【図１】本発明の第１実施形態の冷蔵庫を示す正面図。
【図２】本発明の第１実施形態の冷蔵庫を示す右側面断面図。
【図３】本発明の第１実施形態に係る冷蔵庫の構成を示すブロック図。
【図４】本発明の第１実施形態に係る冷蔵庫の第１開閉スイッチの動作を説明する図。
【図５】本発明の第１実施形態に係る冷蔵庫の第１開閉スイッチの動作を説明する図。
【図６】本発明の第１実施形態に係る冷蔵庫の第１、第２開閉スイッチの回路図。
【図７】本発明の第１実施形態に係る冷蔵庫の第３開閉スイッチの動作を説明する図。
【図８】本発明の第１実施形態に係る冷蔵庫の第３開閉スイッチの動作を説明する図。
【図９】本発明の第１実施形態に係る冷蔵庫の第３〜第５開閉スイッチの回路図。
【図１０】本発明の第１実施形態に係る冷蔵庫の第３開閉スイッチの動作を説明する図。
【図１１】本発明の第１実施形態に係る冷蔵庫のプログラムの動作を示すフローチャート。
【図１２】本発明の第２実施形態に係る冷蔵庫のプログラムの動作を示すフローチャート。
【図１３】本発明の第３実施形態に係る冷蔵庫のプログラムの動作を示すフローチャート。
【図１４】本発明の第４実施形態に係る冷蔵庫の第１開閉スイッチの動作を説明する図。
【発明を実施するための形態】
【００１７】
＜第１実施形態＞
以下に本発明の第１実施形態を図面を参照して説明する。図１は第１実施形態の冷蔵庫１の正面図であり、図２は冷蔵庫１の右側面断面図である。冷蔵庫１は断熱材を充填した断熱箱体９を備えている。断熱箱体９の上部には冷蔵室（第２貯蔵室）２が配され、冷蔵室２の下方には第１冷凍室（第１貯蔵室）３及び製氷室４が左右に並設される。第１冷凍室（第１貯蔵室）３及び製氷室４の下方には第２冷凍室５が配され、第２冷凍室５の下方には野菜室６が配される。
【００１８】
また、冷蔵室２は一対の扉１１、１２が設けられている。扉１１、１２は冷蔵室２の開口部の両側において上部及び下部に設けられたヒンジ（不図示）によって回転可能に取り付けられている。また、第１冷凍室３、製氷室４、第２冷凍室５、野菜室６には引き出し式の扉１３、１４、１５、１６がそれぞれ設けられている。
【００１９】
各扉１１〜１６を閉じた状態において、各扉１１〜１６の背面は周部が断熱箱体９の前面に当接する。これにより、各貯蔵室（２〜６）が密閉される。
【００２０】
冷蔵室２の断熱箱体９の前方両側面には夫々第１、第２開閉スイッチ１１ａ、１２ａが設けられている。また、第１冷凍室３、製氷室４を仕切る断熱箱体９の前面には第３、第４開閉スイッチが１３ａ、１４ａが設けられている。また、第２冷凍室５の断熱箱体９の側部前面には第５開閉スイッチ１５ａが設けられている。第１〜第５開閉スイッチ１１ａ〜１５ａが扉１１〜１５の開閉状態を検知する。
【００２１】
扉１１の前面には操作パネル４０が配される。操作パネル４０は表示パネル（不図示）及び複数の操作キー（不図示）を有する。操作キーとして例えば、温度プラスボタン、温度マイナスボタン及び急速冷却ボタン等が設けられている。これにより、冷蔵室２の設定温度を変更することができる。
【００２２】
第２冷凍室５の後方には冷気が流通する冷気通路７が設けられ、冷気通路７内には冷却器３５及び送風機１０が配される。冷気通路７には冷気の吐出口（不図示）及び冷却器３５に冷気を戻す戻り口（不図示）が設けられている。
【００２３】
冷蔵室２の後方には冷蔵室ダンパ（不図示）を介して冷気通路７に連通する冷気通路８が設けられる。冷気通路８には冷気の吐出口（不図示）が開口する。また、冷蔵室２には野菜室６に連通する連通路（不図示）が導出される。野菜室６には冷却器３５の上流に冷気を戻す戻り通路（不図示）が導出される。
【００２４】
野菜室６の後方には機械室３１ａが設けられる。機械室３１ａには冷凍サイクルを運転する圧縮機３１が配置される。
【００２５】
図３は冷蔵庫１の構成を示すブロック図である。制御部２０は制御基板（不図示）を有し、圧縮機３１、送風ファン１０、ブザー３７、庫内灯（照明装置）３８、操作パネル４０、冷蔵室温度センサ４２ａ、冷凍室温度センサ４２ｂ、第１〜第５開閉スイッチ１１ａ〜１５ａ、記憶部５０が接続される。
【００２６】
制御部２０は記憶部５０にあらかじめ格納されている動作プログラムを読み出して実行する。これにより、圧縮機３１、送風ファン１０、ブザー３７、庫内灯３８の駆動・停止を制御することができる。
【００２７】
冷蔵室温度センサ４２ａは冷蔵室２内に設けられ、冷蔵室２内の温度を検知する。庫内灯３８は冷蔵室２内に設けられ、ＬＥＤ光源を有する。庫内灯３８は第１、２開閉スイッチ１１ａ、１２ａによって扉１１、１２の一方の開状態が検知されると点灯する。また、庫内灯３８は第１、２開閉スイッチ１１ａ、１２ａによって扉１１、１２の両方の閉状態が検知されると消灯する。
【００２８】
ブザー３７は冷蔵室２内に設けられ、第１、２開閉スイッチ１１ａ、１２ａによって扉１１、１２の一方の開状態を検知し続けると鳴動して使用者に報知する。
【００２９】
冷凍室温度センサ４２ｂは第２冷凍室５内に設けられ、冷凍室５内の温度を検知する。なお、第１冷凍室３、製氷室４、第２冷凍室５には庫内灯は設けられていない。
【００３０】
記憶部５０は冷蔵庫１の通常運転モードの通常運転プログラム、デモモードのデモモードプログラムを記憶する。また、記憶部５０には冷蔵庫１が通常運転モードとデモモードとのいずれかに設定されているかの情報がフラッシュＥＥＰＲＯＭなどの不揮発性の記憶装置に記憶されている。具体的にはフラグＦに０が記憶された場合に通常運転モードが実行され、フラグＦに１が記憶された場合、デモモードが実行される。
【００３１】
また、記憶部５０にはデモモード投入操作及びデモモード解除操作が記憶されている。デモモード投入操作は通常運転モードからデモモードに移行させる。デモモード解除操作はデモモードから通常運転モードに移行させる。
【００３２】
デモモード投入操作及びデモ解除操作は使用者が誤って設定しないように通常の操作とは異なる複雑な操作が設定される。例えば、扉１２、１４を開成した状態で操作パネル４０の急速冷却ボタンを５秒以上押下する操作等が割り当てられる。
【００３３】
図４、図５は扉１１の開閉による第１開閉スイッチ１１ａの動作を説明する図であり、図６は第１、第２開閉スイッチ１１ａ、１２ａの回路図である。第１開閉スイッチ１１ａは断熱箱体９の側壁から冷蔵室２内に突出する押しボタンスイッチにより形成され、扉（第２扉）を閉じると押し込まれる。このとき、第１開閉スイッチ１１ａがオンになって制御部２０に信号Ｓ１が送られる。これにより、制御部２０は扉１１が閉状態にあると判定する。
【００３４】
また、扉１１を開けると、第１開閉スイッチ１１ａが再び断熱箱体９の側面から突出してオフになり、制御部２０に送られる信号Ｓ１が切断される。これにより、制御部２０は扉１１が開状態にあると判定する。
【００３５】
第２開閉スイッチ１２ａも第１開閉スイッチ１１ａと同様の機構により、扉１２の開閉を検知する。また、図５に示すように第１、第２開閉スイッチ１１ａ、１２ａは夫々独立して信号Ｓ１、信号Ｓ２を送る。このため、制御部２０は扉１１、１２の開閉状態を夫々独立して判定することができる。
【００３６】
図７、８は第３開閉スイッチ（開閉検知部）１３ａの動作を説明する図であり、図９は第３〜第５開閉スイッチ１３ａ〜１５ａの回路図である。第３開閉スイッチ１３ａは断熱箱体９の前面に磁気センサ１１３を有し、扉（第１扉）１３の背面に永久磁石１１３ａを有する。永久磁石１１３ａは扉１３の閉成時に磁気センサ１１３と対向して配される。
【００３７】
扉１３を閉じると磁気センサ１１３が永久磁石１１３ａの磁界を検知して第３開閉スイッチ１３ａがオンになり、制御部２０に信号Ｓ３が送られる。これにより、制御部２０は扉１３が閉状態にあると判定する。
【００３８】
一方、扉１３を開けると磁気センサ１１３は永久磁石１１３ａの磁界を検知できない。このとき、第３開閉スイッチ１３ａがオフになって制御部２０に送られる信号Ｓ３が切断される。これにより、制御部２０は扉１３が開状態にあると判定する。
【００３９】
なお、第４、第５開閉スイッチ１４ａ、１５ａも第３開閉スイッチ１３ａと同様の機構により、扉１４、１５の開閉を夫々検知する。また、図８に示すように第３〜第５開閉スイッチ１３ａ〜１５ａは夫々独立して信号Ｓ３〜信号Ｓ５を送る。このため、制御部２０は扉１３〜１５の開閉状態を夫々独立して判定することができる。
【００４０】
図１０は第３開閉スイッチ１３ａの動作を説明する図であり、永久磁石５０ａを有する広告ポップ（誤認部材）５０を磁気センサ１１３の前面に貼着することにより、扉１３が開状態にあっても、磁気センサ１１３は永久磁石５０ａを検知する。このため、扉１３が開状態の時に、第３開閉スイッチ１３ａがオンになって制御部２０に信号Ｓ３が送られる。これにより、扉１３が閉状態（第２開閉状態）にあると誤認される。
【００４１】
通常運転モードは冷気を生成して冷蔵室２、第１冷凍室３、製氷室４、第２冷凍室５、野菜室６内に流通させるモードである。具体的には、圧縮機３１及び送風ファン１０の駆動によって冷気通路７を流通する空気と冷却器３５とが熱交換して生成された冷気が第１冷凍室３、製氷室４、第２冷凍室５に吐出される。第１冷凍室３、製氷室４、第２冷凍室５に吐出された冷気は第１冷凍室３、製氷室４、第２冷凍室５を流通して戻り口（不図示）を介して冷却器３５に戻る。これにより、第１冷凍室３、製氷室４、第２冷凍室５内の冷却が行われる。
【００４２】
また、冷気通路７から冷気通路８に冷気が流入し、吐出口（不図示）から冷蔵室２に吐出される。吐出口から吐出された冷気は冷蔵室２内を流通し、連通路（不図示）を介して野菜室６に流入する。野菜室６を流通した冷気は戻り通路（不図示）を流通して冷却器３５に戻る。これにより、冷蔵室２及び野菜室６内の冷却が行われる。
【００４３】
デモモードは店頭での動作の実演を行うモードである。具体的には圧縮機３１の駆動を停止して冷気の生成及び流通が行われない。また、送風機１０も駆動しない。庫内灯３８は店頭において購買者等に冷蔵室２内の動作を確認し易くするために扉１１、１２の一方が開くと点灯する。
【００４４】
また、操作パネル４０に設けられた表示パネル（不図示）やブザー３７など購買者の感覚に影響を与えるものも通常運転モードと同様の動作が行われる。なお、庫内灯３８、表示パネルやブザー３７は、通常運転モードと同様の動作に限らず、デモモード特有の動作を実行させてもよい。
【００４５】
また、冷蔵庫１の電源投入後、デモモードが設定されている場合において、第３開閉スイッチ１３ａが扉１３は開状態（第１開閉状態）にあると検知した時、ブザー（報知部）３７がデモモードに設定されていることを報知する。ブザー３７の報知によって使用者は通常の動作状態ではないことを認識する。このとき、ブザー３７は扉１１、１２が開いた状態が続くと鳴動する警告音とは異なる音で鳴動することが好ましい。
【００４６】
なお、デモモードを報知する報知部は操作パネル４０に設けられた表示パネル（不図示）及び庫内灯３８により形成してもよい。この場合、表示パネルに通常動作とは異なる画像、文字やアイコン等を表示する。また、表示パネルの表示及びブザー３７の警告音に庫内灯３８の点滅を組み合わせてデモモードを報知してもよい。
【００４７】
また、永久磁石５０ａを有する広告ポップ５０を磁気センサ１１３の前面に貼着した場合、店頭でデモモードの実行中に、購買者等が扉１３を開いても第３開閉スイッチ１３ａは扉１３が閉状態（第２開閉状態）にあると誤認する。このとき、報知は行われない。これにより、購買者等へのデモモードの実演が報知によって妨げられるのを防止することができる。
【００４８】
また、デモモードに設定されたままの冷蔵庫１が使用者宅等に設置された場合、設置者は磁気センサ１１３に貼着された広告ポップ５０を剥がして電源を投入する。このため、扉１３が開成されると、第３開閉スイッチ１３ａがオフになって扉１３が開状態（第１開閉状態）にあることが検知される。これにより、報知部の報知によって、設置者にデモモードの解除を促すことができる。
【００４９】
なお、広告ポップ５０以外の誤認部材を用いて第３開閉スイッチ１３ａに扉１３が閉状態（第２開閉状態）にあると誤認させてもよい。例えば、デモモードが設定されている旨の文言が記載された貼着部材を磁気センサ１１３の前面に貼着して扉１３が閉状態にあると誤認させてもよい。また、冷蔵庫１の梱包に用いる接着テープを磁気センサ１１３の前面に貼着して磁気センサ１３を誤認させてもよい。これにより、冷蔵庫１の梱包を解く際に接着テープが確実に剥される。
【００５０】
図１１は第１実施形態に係る冷蔵庫１のプログラムの動作を示すフローチャートである。商用電源から電力供給が開始されると以下の動作が行われる。ステップ♯１１では電源投入時に不揮発性の記憶装置（記憶部５０）に記憶されているフラグＦの値を読み出し、フラグＦに１が記憶されているか否かによってデモモードを立ち上げるか否かが判断される。
【００５１】
フラグＦに１が記憶されている場合はステップ♯２１に移行し、フラグＦに１が記憶されてない場合はステップ♯５１に移行する。ステップ♯５１では所定のデモモード投入操作が入力されたか否かが判定される。デモモード投入操作が入力されるとステップ♯５２に移行し、デモモード投入操作が入力されなければステップ♯５３に移行する。
【００５２】
ステップ♯５３では電源投入から所定のデモ投入時間（本実施形態では２分間）が経過したか否かが判断される。デモ投入時間を経過していない場合、ステップ＃５１に移行してステップ♯５１、♯５３を繰り返す。デモ投入時間を経過している場合、ステップ♯５４に移行して通常運転モードの実行を開始する。通常運転モードの実行中、ステップ♯５５では電源が切断されたか否かが判断され、電源が切断されなければ、ステップ♯５５が繰り返される。
【００５３】
一方、ステップ♯５１においてデモモード投入操作が入力されると、ステップ♯５２でフラグＦに１が記憶されてステップ♯２１に移行する。
【００５４】
ステップ♯２１ではデモモードの実行が開始され、ステップ♯２２に移行する。ステップ♯２２では制御部２０が第３開閉スイッチ１３ａから送られる信号に基づいて扉１３の開状態（第１開閉状態）を検知したか否かを判定する。開状態を検知した場合、ステップ♯２５に移行して報知を開始し、ステップ♯２６に移行する。
【００５５】
一方、ステップ♯２２において、扉１３の閉状態（第２開閉状態）を検知した場合、ステップ♯２３に移行する。ステップ♯２３では所定のデモモード解除操作が入力されたか否かが判定される。デモモード解除操作が入力されるとステップ♯２８に移行し、解除操作が入力されなければステップ♯３３に移行する。ステップ♯２８ではフラグＦに０が記憶されて、ステップ♯５４に移行する。ステップ♯３３では電源が切断されるか否かが判断され、電源が切断されなければ、ステップ♯２２に移行してステップ♯２２、♯２３、♯３３が繰り返される。
【００５６】
ステップ♯２６では所定のデモモード解除操作が入力されたか否かが判定される。デモモード解除操作が入力されるとステップ♯２７に移行し、デモモード解除操作が入力されなければステップ♯３１に移行する。ステップ♯２７では報知を停止してステップ♯２８に移行し、フラグＦに０が記憶されてステップ♯５４に移行する。
【００５７】
ステップ♯３１では所定の報知解除操作が入力されたか否かが判定される。報知解除操作が入力されるとステップ♯３２に移行し、報知を停止する。報知解除操作が入力されなければステップ♯２６に移行してステップ♯２６、♯３１を繰り返す。
【００５８】
なお、ステップ♯３１の報知解除操作として扉１３を閉成する動作が設定されている。これにより、店頭で購買者が扉１３を開成して報知が開始された場合、購買者は慌てて扉１３を閉成し、簡易に報知が停止される。
【００５９】
ステップ♯３２で報知が停止されると、ステップ♯３３に移行する。ステップ♯３３では冷蔵庫１の電源が停止（冷蔵庫１への通電の断電）されたか否かが判断される。電源が停止されない場合はステップ♯２２に移行してステップ♯２２〜♯３３が繰り返し行われる。
【００６０】
本実施形態によると、冷蔵庫１の電源投入後、デモモード時、ステップ♯２２において第３開閉スイッチ１３ａが扉１３は開状態（第１開閉状態）にあると検知した場合、ステップ♯２５において報知が実行される。これにより、デモモードに設定された冷蔵庫１が使用者宅に設置された際に、設置者等が扉１３を開いたときに未だデモモードに設定されていることに気付いて通常運転モードに切り替えることができる。このため、デモモード下での貯蔵物の貯蔵を防止することができる。従って、冷蔵庫の利便性を向上することができる。
【００６１】
また、販売店で展示される冷蔵庫１はデモモード時に着脱可能な広告ポップ（誤認部材）５０を設置することにより、扉１３が開状態にある時に、第３開閉スイッチ１３ａは扉１３が閉状態（第２開閉状態）にあると誤認する。これにより、ステップ♯２２において、購買者等が扉１３を開いた場合でもステップ♯２５には移行せず報知は行われない。従って、デモモードの実演が報知によって妨げられるのを防止することができる。
【００６２】
また、デモモードの実演中、報知を行うか否かの判断はステップ♯２２において、庫内灯を備えない第１冷凍室３の扉１３の開閉状態を検知して判断する。このため、扉１１、１２の開閉に応じて冷蔵室２内の庫内灯３８を点灯させてデモモードの実演を行うことができる。
【００６３】
＜第２実施形態＞
図１２は第２実施形態に係る冷蔵庫１のプログラムの動作を示すフローチャートである。なお、前述の図１１に示す第１実施形態と同一部分は同一符号を付して説明を省略する。第１実施形態に対して第２実施形態では報知後に電源が停止された場合、次回電源投入時に通常運転モードが立ち上がる。
【００６４】
具体的には、図１２に示すようにデモモードの実行中において、ステップ♯２５で報知を開始し、ステップ♯２６で所定のデモモード解除操作が入力されたか否かが判定される。デモモード解除操作が入力されなければステップ♯２９に移行する。
【００６５】
ステップ＃２９では冷蔵庫１の電源が停止されたか否かが判断される。電源が停止されていない場合はステップ＃３１に移行し、電源が停止された場合はステップ＃３０に移行する。ステップ＃３０ではフラグＦに０が記憶される。冷蔵庫１は電源プラグを抜いた際に制御部２０の制御基板（不図示）に対する印加電圧が徐々に低下し、印加電圧が所定値以下になった際に電源停止と判断してフラグＦを書き換える。
【００６６】
これにより、次回電源投入時にステップ♯１１では記憶部５０に記憶されているフラグＦの値０を読み出し、ステップ♯５４で通常運転モードの実行が開始される。
【００６７】
本実施形態によると、ステップ♯２５の報知によって設置者又は使用者がデモモードであることに気付いて冷蔵庫１の電源プラグを抜いて電源を停止すると、次回電源投入時に通常運転モードの実行が開始される。このため、使用者は所定のデモモード解除操作を行う必要がなく、冷蔵庫１の利便性をより向上することができる。
【００６８】
＜第３実施形態＞
図１３は第３実施形態に係る冷蔵庫１のプログラムの動作を示すフローチャートである。なお、前述の図１１に示す第１実施形態と同一部分は同一符号を付して説明を省略する。第１実施形態に対して第３実施形態では電源投入時にデモモードに設定されていた際に、扉１３の開閉に拘わらず、電源投入から所定時間、報知する。また、デモモードが設定されている場合において、電源投入から所定の解除時間内に扉１３の開状態（第１開閉状態）が検知されると通常運転モードが実行される。
【００６９】
具体的には、図１３に示すように、電源投入時にフラグＦに１が記憶されている場合はステップ♯１１の判断により、ステップ♯１２に移行し、ステップ♯１２ではデモモードに設定されていることを報知する。ステップ♯１２の報知によりデモモードの解除が促され、ステップ♯１３に移行する。
【００７０】
ステップ♯１３では所定のデモモード解除操作が入力されたか否かが判定される。デモモード解除操作が入力されるとステップ♯１４に移行し、デモモード解除操作が入力されなければステップ♯１５に移行する。ステップ♯１４では報知を停止してステップ♯２８に移行する。ステップ♯２８ではフラグＦに０が記憶されて、ステップ♯５４に移行する。
【００７１】
ステップ♯１５では電源投入から所定の報知時間（本実施形態では１０秒間）が経過したか否かが判断される。報知時間を経過していない場合、ステップ＃１３に移行してステップ♯１３、♯１５を繰り返す。報知時間を経過している場合、ステップ♯１６に移行して報知を停止し、ステップ♯２１に移行してデモモードの実行を開始する。
【００７２】
デモモードの実行後、ステップ♯２２において扉１３が開状態（第１開閉状態）と検知されたか否かを判定する。
【００７３】
扉１３の開状態が検知された場合、ステップ♯２４に移行して電源投入から所定の解除時間（本実施形態では１時間）が経過したか否かが判断される。解除時間を経過していない場合、ステップ♯２８に移行する。ステップ♯２８ではフラグＦに０が記憶されて、ステップ♯５４に移行する。
【００７４】
展示品の冷蔵庫１が購入されると広告ポップ５０を除去して使用者宅に設置される。この時、設置者は通常動作確認のために電源投入して１〜２時間以内に扉１３を開閉する。このため、電源投入から所定の解除時間（本実施形態では１時間）が経過する前に扉１３が開かれると通常モードに移行する。これにより、販売店や設置者がデモモードの解除を忘れても、扉１３の開成によってデモモードが解除される。
【００７５】
また、店頭に展示される冷蔵庫１は広告ポップ５０がずれて第３開閉スイッチ１３ａにより扉１３の開状態を検知される場合がある。広告ポップ５０がずれる場合は通常電源投入から数時間が経過しているため、解除時間の経過後に扉１３の開状態を検知した場合はデモモードが維持される。これにより、展示品のデモモードの解除を防止し、店頭でデモモード設定操作を頻繁に行う必要がないため冷蔵庫１の利便性を向上できる。
【００７６】
ステップ♯２４において、電源投入から所定の解除時間を経過していると判断された場合、ステップ♯２５に移行してデモモードに設定されていることの報知を開始し、ステップ♯２６に移行する。
【００７７】
ステップ♯２６では所定のデモモード解除操作が行われたか否かが判定される。デモモード解除操作が入力されるとステップ♯２７に移行し、ステップ♯２７では報知を停止してステップ♯２８に移行する。ステップ♯２８ではフラグＦに０が記憶されて、ステップ♯５４に移行する。
【００７８】
なお、ステップ♯２６のデモモード解除操作は報知を停止させる扉１３の閉成以外の操作が設定されている。これにより、店頭において、報知に気付いた来客者が扉１３を閉成して通常運転モードが開始されるのを防止することができる。
【００７９】
本実施形態によると、電源投入時にデモモードに設定されていた際に、扉１３の開閉に拘らず、ステップ♯１２においてデモモードに設定されていることを報知する。これにより、デモモードに設定された冷蔵庫１が使用者宅に設置された際に、電源投入後、設置者又は使用者が未だデモモードに設定されていることに気付き易くなる。このため、冷蔵庫の利便性をより向上することができる。
【００８０】
なお、販売店で展示される冷蔵庫１は開店前に通常電源投入後に放置される。このため、電源投入から所定時間、デモモードに設定されていることが報知されても、デモモードの実演が妨げられない。
【００８１】
また、ステップ♯２２、♯２４において、電源投入から所定の解除時間内に第３開閉スイッチ１３ａが扉１３の開状態（第１開閉状態）を検知した場合、冷蔵庫１は使用者宅等に設置されていると判断してステップ♯５４において通常運転モードの実行が開始される。これにより、設置者が解除操作の実行を忘れていても確実にデモモードを解除することができ、冷蔵庫１の利便性をより向上することができる。
【００８２】
また、ステップ♯２２、♯２４において、電源投入から所定の解除時間経過後に第３開閉スイッチ１３ａが扉１３の開状態（第１開閉状態）を検知した場合、冷蔵庫１は店頭にあると判断して通常運転モードには移行しない。これにより、店頭において、デモモードの実演中に通常運転モードが実行されるのを防止することができる。
【００８３】
また、ステップ♯２６のデモモード解除操作は扉１３の閉成以外の操作が設定されている。これにより、店頭において、報知に気付いた来客者が扉１３を閉成して通常運転モードが開始されるのを防止することができる。
【００８４】
なお、本実施形態において、第１、第２実施形態と同様にステップ♯１２〜ステップ♯１６を省いてもよい。
【００８５】
＜第４実施形態＞
図１４は第４実施形態に係る第１開閉スイッチ１１ａの動作を説明する図である。なお、第１実施形態と同一部分は同一符号を付して説明を省略する。第１実施形態に対して第４実施形態ではデモモード設定中に第１開閉スイッチ１１ａが扉１１の開状態（第１開閉状態）を検知した場合、報知を行う。
【００８６】
なお、広告ポップ５０を第１開閉スイッチ１１ａに貼着して断熱箱体９の側面に押下した状態を維持することにより、扉１１を開いても、第１開閉スイッチ１１ａがオンになって制御部２０に信号Ｓ１が送られる。これにより、第１開閉スイッチ１１ａが扉１１を閉状態（第２開閉状態）と誤認する。
【００８７】
なお、デモモード設定中に報知を行うか否かの判断は、第１〜第５開閉スイッチ１１ａ〜１５ａのいずれに基づいて行ってもよく、第１〜第５開閉スイッチ１１ａ〜１５ａから複数組み合わせて判断してもよい。この場合、複数の開閉スイッチのいずれかの扉の開状態（第１開閉状態）を検知したときに報知を行ってもよいし、複数の開閉スイッチの全ての扉の開状態（第１開閉状態）を検知したときに報知を行ってもよい。
【００８８】
例えば、デモモード設定中に第１、第２開閉スイッチ１１ａ、１２ａの両方が扉１１、１２の開状態（第１開閉状態）を検知した場合に報知を行う場合、店頭で広告ポップ（誤認部材）が誤ってずれて、第１開閉スイッチ１１ａのみが開状態（第１開閉状態）を検知しても報知は実行されない。このため、店頭でデモモードの実演中に誤って報知が実行されるのを防ぐことができる。
【００８９】
本実施形態によると、第１実施形態と同様の効果を得ることができる。尚、冷蔵室１１は扉１１ａを開いた際に第１開閉スイッチ１１ａの検知によって庫内灯３８（照明装置）が点灯する。このため、広告ポップ５０の設置によって扉１１ａを開いた際に第１開閉スイッチ１１ａが閉状態と誤認するため、デモモード時に庫内灯が消灯する。従って、第１〜第３実施形態に示すように、庫内灯を具備しない貯蔵室の扉の開閉を検知する第３〜第５開閉スイッチの検知によってデモモード時の報知を行うとより望ましい。
【００９０】
また、本実施形態において、第２実施形態及び第３実施形態と同様の動作を行ってもよい。
【００９１】
第１〜第４実施形態において、デモモード時に扉の開状態（第１開閉状態）を検知した際に報知を行い、広告ポップ５０（誤認部材）により扉を開いた際に閉状態（第２開閉状態）と誤認させている。これに対して、デモモード時に扉の閉状態（第１開閉状態）を検知した際に報知を行い、扉を閉じた際に開状態（第２開閉状態）と誤認させてもよい。
【００９２】
例えば、磁気シールド材を有する広告ポップ５０で磁気センサ１１３を覆うことにより、扉１３が閉状態（第１開閉状態）にあっても、磁気センサ１１３は扉１３に設けた永久磁石１１３ａを検知することができない。このため、扉１３が閉状態の時に、第３開閉スイッチ１３ａを扉１３が開状態（第２開閉状態）と誤認させることができる。
【００９３】
また、第１〜第５開閉スイッチ１１ａ〜１５ａのいずれかを受光素子と発光素子とで形成してもよい。例えば、受光素子及び発光素子を断熱箱体９前面に並設し、扉１３を閉成したときに発光素子から出射した出射光を扉１３の背面で反射させて受光素子に入射させる。これにより、受光素子が出射光を検知したときに扉１３は閉状態にあると判断される。扉１３を開くと、受光素子は発光素子の出射光を検知できず、扉１３は開状態にあると判断される。
【００９４】
また、広告ポップ５０（誤認部材）等によって発光素子及び受光素子を覆うと、発光素子の出射光が広告ポップ５０で反射して受光素子に入射する。このため、扉１３を開いた際に閉状態と誤認させることができる。
【産業上の利用可能性】
【００９５】
本発明はデモモードを備えた冷蔵庫に広く利用可能である。
【符号の説明】
【００９６】
１              冷蔵庫
２              冷蔵室
３              第１冷凍室
４              製氷室
５              第２冷凍室
６              野菜室
７、８          冷気通路
９              断熱箱体
１０            送風ファン
１１〜１６      扉
１１ａ〜１５ａ  第１〜第５開閉スイッチ
２０            制御部
３１            圧縮機
３７            ブザー
３８            庫内灯
４０            操作パネル
４２ａ          冷蔵室温度センサ
４２ｂ          冷凍室温度センサ
５０            記憶部
【図１】
0006483513.tif 000002
【図２】
0006483513.tif 000003
【図３】
0006483513.tif 000004
【図４】
0006483513.tif 000005
【図５】
0006483513.tif 000006
【図６】
0006483513.tif 000007
【図７】
0006483513.tif 000008
【図８】
0006483513.tif 000009
【図９】
0006483513.tif 000010
【図１０】
0006483513.tif 000011
【図１１】
0006483513.tif 000012
【図１２】
0006483513.tif 000013
【図１３】
0006483513.tif 000014
【図１４】
0006483513.tif 000015